(57)【要約】【課題】  掘削機を用いて地面を掘削する際、掘削機の爪が誤って埋設される上下水道管やガス管のプラスチック管に当たるようなことがあってもプラスチック管を傷付けることがないようにプラスチック管に巻き付けられる耐衝撃性のある保護シートにおいて、プラスチック管への巻付けや固定が容易で、プラスチック管にサドル継手等を接続する必要がある場合も保護シートの所要箇所をプラスチック管を傷付けることなく切断することができ、埋め戻した土砂がプラスチック管に接し、プラスチック管との間に隙間ができないようにする。【解決手段】  保護シート６がポリプロピレン製の成形品よりなるネットで構成され、プラスチック管７に巻付けたのち側縁同士を網目を通してステンレス製のクリップ８で連結する。【選択図】図３
2005337384.tif 000002
【特許請求の範囲】
【請求項１】
液体輸送管やガス管として用いられるプラスチック管を地中に埋設する方法であって、プラスチック管の少なくとも一部に耐蝕性、耐衝撃性及び可撓性を有し、かつ土砂が通る多孔又はネット状の保護シートを巻付けて地中に埋設することを特徴とするプラスチック管の埋設方法。
【請求項２】
液体輸送管やガス管として用いられるプラスチック管の耐衝撃性を高めるためプラスチック管に巻付けられる保護シートであって、多孔又はネット状をなして土砂が通り、かつ耐蝕性、耐衝撃性及び可撓性を有することを特徴とするプラスチック管の保護シート。
【請求項３】
孔のあいていないシートが重ねて一体化される請求項２記載のプラスチック管の保護シート。
【発明の詳細な説明】
【技術分野】
【０００１】
本発明は、土中へのプラスチック管の埋設方法と、埋設されたプラスチック管の耐衝撃性を高めるためにプラスチック管に巻付けられる保護シートに関する。
【背景技術】
【０００２】
液体輸送管、例えば上下水道管やガス管として近年、プラスチック管が普及し、なかでもポリエチレン管は可撓性を有すると共に、軽量で施工が容易であり、土中に埋設しても腐食しない利点を有することから目覚しい普及をしているが、衝撃強度に弱い、という難点があり、埋設後に行われる工事、例えば上下水道管工事のため掘削機を用いて地面を掘削する際、掘削機の爪が埋設されたポリエチレン管に当たってポリエチレン管が傷付けられることがある。この対策のため例えば内圧の高いガス管の本管では、ポリプロピレンシート等の保護シートを巻付けてポリエチレン管の耐衝撃性を高めている。具体的にいえばポリプロピレンシートの場合、ポリプロピレンシートを５層に積層させた複層シートが使用され、図１に示すようにポリエチレン管１に複層シート２を巻付けたのち、その周りにインシュロック３を巻付けて締結し固定するようになっており、耐衝劇性を高めるためにその上に更に複層シート２を巻付けてインシュロックで締結し、固定することも行われている。    
【発明の開示】
【発明が解決しようとする課題】
【０００３】
上述の複層シート２による施工には、
（１）積層シート２はポリプロピレンシートを５層に積層した構造をなしているため腰が        強く、管への巻付けが容易でないこと、
（２）複層シート２が上述するように、腰が強いため管に巻付けた状態で粘着テープ等を用いて仮止めすることができず、管に巻付けた状態でばらけ易いため、その周りにインシュロック３を巻付けて固定するのが容易でないことで、とくにその上に更に複層シート２を巻付けて固定するのは格別困難であること、  
（３）複層シート２を巻付けて固定し、埋設したのちでも枝管を接続するため、後に掘り起こして管側面にサドル継手やサービスチー継手を融着接続する必要があることがある。このような管工事を行うときには継手を取付ける箇所の複層シートを切り取って該箇所の管表面を剥き出しにする必要があるが、複層シート２を切断することは非常に困難で、その際、管を傷付けるおそれがあること、
（４）埋設時には土砂を被せて転圧を行うが、複層シート２と管１との間、とくに二重巻きにした複層シート２間には隙間ができ易く、埋設後、この隙間が雨水の流路となって雨水と共に土砂が運ばれ、埋設箇所で局部沈下を起こすおそれがあること、
などである。
【０００４】
本発明は、上記の問題を解消することができるプラスチック管の土中への埋設方法と、埋設されたプラスチック管の耐衝撃性を高めるためにプラスチック管に巻付けられる保護シートを提供することを目的とする。
【課題を解決するための手段】
【０００５】
請求項１に係る発明は、上下水道管として用いるのに好適な液体輸送管或いはガス管に用いられるプラスチック管を地中に埋設する方法であって、プラスチック管の少なくとも一部に耐蝕性、耐衝撃性及び可撓性を有し、かつ土砂が通る多孔又はネット状の保護シートを巻付けて地中に埋設することを特徴とする。
【０００６】
請求項２に係る発明は、土中に埋設される液体輸送管やガス管等として用いられるプラスチック管の耐衝撃性を高めるためプラスチック管に巻付けられる保護シートであって、多孔又はネット状をなして土砂が通り、かつ耐蝕性、耐衝撃性及び可撓性を有することを特徴とし、
請求項３に係る発明は、請求項２に係る発明の保護シートに孔のあいていないプラスチック製シートが重ねて一体化されることを特徴とする。
【０００７】
上記各発明で用いる耐蝕性、耐衝撃性及び可撓性を有する材質の保護シートとしては、例えばステンレス製又はポリプロピレン等のプラスチック製のネット、ステンレス製又はポリプロピレン等のプラスチック製シートを積層した複層シートに、無数の孔をあけた多孔シート等を例示することができ、上述するネットは、ステンレス製の場合、通常はプレスによる打抜きによって形成され、プラスチック製の場合、成形品であってもよいし、編織製品であってもよい。
【０００８】
また多孔シートの孔は、形状及びサイズが均一でなくてもよいが、好ましくは均一にされる。
【０００９】
孔のあいていないプラスチック製のシートを一体化する方法としては、例えば止金具による止着、プラスチックシートの場合では、溶着、接着、縫付等を用いることができる。
【発明の効果】
【００１０】
本発明のプラスチック管の埋設方法及び該方法で用いられる保護シートによると、保護シートが耐衝撃性を有するため、埋設後に掘削機を用いて掘削する際、掘削機の爪がプラスチック管に当たるようなことがあっても管が傷付くのを防ぐことができること、保護シートが可撓性を有することによりプラスチック管への巻付作業が容易に行えること、保護シートをプラスチック管に巻付けたのち、孔に通し、或いはネットの網目を通して例えば耐蝕性及び強度を有するワイヤー、ロープ等の紐状物で締結したり、クリップ等の止め金具で連結することにより容易にプラスチック管に巻付けた保護シートを固定することができること、プラスチック管側面にサドル継手やサービスチー継手を接続する必要がある場合、保護シートの所要箇所を管表面を確認して管を傷付けることがなく切断することができること、単層だけでなく複数層重ねて捲付けていても埋戻した土砂が管表面まで入り込み、その後の局部的な沈下を引起こしにくいこと等の効果を奏する。
【００１１】
また、孔のあいていないシートを重ねて一体化した保護シートにおいては、孔の開いていないシートが保護シートを補強し、掘削機の爪で保護シートを引掛けて引き千切ろうとすると、孔のあいていないシートも一緒に引出されようとして抵抗が大きくなるため掘削機のオペレーターが保護シートに気付き易い。したがって埋設された管にも気付いて管を傷つけにくくする。
【００１２】
また孔のあいてないシートを重ねて一体化した保護シートを管に捲付ける場合、保護シートの端部が重なり合って管との間に水や土砂の流路となりうる隙間が形成されることのないように、管に巻き付けられる保護シートの幅は管の外周長よりも短くしておくのが望ましい。
【発明を実施するための最良の形態】
【００１３】
図２は、本発明に係る保護シート６の一例を示すもので、ポリプロピレン製の成形品よりなるネットで構成され、巾Ｍが巻付けられるプラスチック管の外周と同一ないしやヽ
巾広に切断されている。
【００１４】
図３は、上記保護シート６をプラスチック管としてのポリエチレン管７に巻付けた断面を示すもので、シート６の側縁同士をステンレス製のクリップ８で網目に通して連結することにより固定している。
【００１５】
図４は、保護シートの別の例を示すもので、上述する保護シート６が孔のあいていないポリプロピレン製シート９に部分的に溶着して一体化してある。
【産業上の利用可能性】
【００１６】
本発明の保護シートは、土中に埋設される液体輸送管やガス管の耐衝撃性を高めるために使用され、液体輸送管としては上下水道管が好適である。
【図面の簡単な説明】
【００１７】
【図１】プラスチック管に巻付けられる保護シートの従来例を示す断面図。
【図２】本発明に係る保護シートの平面図。
【図３】図２に示す保護シートをプラスチック管に巻付けて固定した状態を示す断面  図。
【図４】本発明に係る保護シートの別の例の部分斜視図。
【符号の説明】
【００１８】
１、７・・ポリエチレン管
２・・複層シート
３・・インシュロック
６・・保護シート
８・・クリップ
９・・孔のあいていないシート
【図１】
2005337384.tif 000003
【図２】
2005337384.tif 000004
【図３】
2005337384.tif 000005
【図４】
2005337384.tif 000006